(57)【要約】【課題】ベースを開いた状態で垂直の壁面に対する被止着物の止着作業を行ないつつ、ベースを開いた状態のまま、かつ、ステープラーを上下反転させたり持ち替えたりすることなく、垂直の壁面に打ち込まれている綴じ針を抜き取ることができると共に、抜き取った綴じ針を落下させることなく保持するようにしたステープラーを提供する。【解決手段】ベース１１と、綴じ針を収納するフレーム１３と、フレーム内の綴じ針を押える押え板１５と、綴じ針を打ち出す押刃１７を備えたハンドル１９とを一端部２１にて回動自在に軸着し、該ベースには綴じ針をクリンチするアンビル２５を備えさせてなるステープラーにおいて、前記フレーム１３における前記ベース１１に臨む面１３ａに綴じ針抜取り爪片４７を備えさせたことを特徴とするステープラー。【選択図】図１
0003127988.tif 000002
【実用新案登録請求の範囲】
【請求項１】
ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記フレームにおける前記ベースに臨む面に綴じ針抜取り爪片を備えさせたことを特徴とするステープラー。
【請求項２】
ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記フレームにおける前記ベースに臨む面に前後方向に位置調節自在に取り付けたスペーサに綴じ針抜取り爪片を備えさせたことを特徴とするステープラー。
【請求項３】
前記綴じ針抜取り爪片の近傍には永久磁石を着脱自在に配設したことを特徴とする請求項１又は２に記載のステープラー。
【請求項４】
前記永久磁石は紐体を介してステープラーに取り付けたことを特徴とする請求項３に記載のステープラー。
【請求項５】
前記永久磁石は該永久磁石の上面よりも上方に突出した縁部を備えた保持体に保持させたことを特徴とする請求項３又は４に記載のステープラー。
【考案の詳細な説明】
【技術分野】
【０００１】
本考案は、ステープラーに関するものである。
【背景技術】
【０００２】
ステープラーは、書類、紙片等を相互に止着し又は書類、紙片等を壁面等に止着するための簡便な道具として従来より広く使用されている。
【０００３】
本出願においては、ステープラーにより止着される書類、紙片等を「被止着物」という。
【０００４】
ステープラーとしては、例えば特開２００４−１４２０７４号公報に示すように、ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるものが知られている。
【０００５】
以下、上記ステープラーを「従来のステープラー」という。
【特許文献１】特開２００４−１４２０７４号公報
【０００６】
また、本出願において、「前」とは、ベースとフレームと押え板とハンドルとが軸着されている一端部から他端部に向かう方向をいい、「後」とは「前」と反対の方向をいうものとする。
【考案の開示】
【考案が解決しようとする課題】
【０００７】
従来のステープラーは、後端部に綴じ針抜取り爪片を備えている。
【０００８】
ステープラーは、ベース（１１）をフレーム（１３）、押え板（１５）及びハンドル（１９）に対して約１８０度回動させて開いた状態（以下この状態を「ベースを開いた状態」という。図８、図９、図１７参照）で、例えば壁における下地上の表面材の如き垂直面に被止着物を止着することができる。
【０００９】
このように、垂直の壁面に被止着物をステープラーの綴じ針により止着する際には、打ち込まれている綴じ針を抜き取る必要がしばしば生ずる。しかるに、その場合、従来のステープラーは、綴じ針抜取り爪片を後端部にのみ備えているため、垂直の壁面に打ち込まれている綴じ針を抜き取る際にはステープラーのベース（１１）を約１８０度回動させて閉じた元の状態（以下この状態を「ベースを閉じた状態」という。図１〜図３、図７参照）に戻し、ステープラーを上下反転させて持ち替え、後端部の綴じ針抜取り爪片により該綴じ針を抜き取らなければならない。
【００１０】
垂直の壁面に打ち込まれている綴じ針を抜き取る度にこのような動作を行なうことは面倒である。特に、作業者が脚立等に乗った状態で上記動作を行なうことは煩わしいものであり、作業効率を低下させるものである。
【００１１】
また、垂直の壁面に打ち込まれている綴じ針をステープラー後端部の綴じ針抜取り爪片により抜き取る際には、抜き取られた綴じ針が落下し、床面等に散乱することになる。床面等に散乱した綴じ針を回収する作業は面倒であり、しばしば回収もれが生ずる。
【００１２】
本考案は、従来のステープラーにおける上述の如き問題を解消し、ベースを開いた状態で垂直の壁面に対する被止着物の止着作業を行ないつつ、ベースを開いた状態のまま、かつ、ステープラーを上下反転させたり持ち替えたりすることなく、垂直の壁面に打ち込まれている綴じ針を抜き取ることができると共に、抜き取った綴じ針を落下させることなく保持するようにしたステープラーを提供しようとしてなされたものである。
【課題を解決するための手段】
【００１３】
上記課題を解決するために、本考案は下記のステープラーを提供する。
【００１４】
（１）ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記フレームにおける前記ベースに臨む面に綴じ針抜取り爪片を備えさせたことを特徴とするステープラー（請求項１）。
【００１５】
（２）ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるステープラーにおいて、
前記フレームにおける前記ベースに臨む面に前後方向に位置調節自在に取り付けたスペーサに綴じ針抜取り爪片を備えさせたことを特徴とするステープラー（請求項２）。
【００１６】
（３）前記綴じ針抜取り爪片の近傍には永久磁石を着脱自在に配設する（請求項３）。
【００１７】
（４）前記永久磁石は紐体を介してステープラーに取り付ける（請求項４）。
【００１８】
（５）前記永久磁石は該永久磁石の上面よりも上方に突出した縁部を備えた保持体に保持させる（請求項５）。
【考案の効果】
【００１９】
［請求項１の考案］
ステープラーにより、ベースを開いた状態で垂直の壁面に対する被止着物の止着作業を行なっているときには、綴じ針抜取り爪片を備えさせたフレームにおけるベースに臨む面は、壁面に臨んでいる。従って、垂直の壁面に打ち込まれている綴じ針を抜き取る際には、ベースを開いた状態のまま、かつ、ステープラーを上下反転させたり持ち替えたりすることなく、綴じ針抜取り爪片により垂直の壁面から綴じ針を抜き取ることができる。ゆえに、垂直の壁面に対する被止着物の止着作業の効率が向上する。
【００２０】
［請求項２の考案］
請求項２の考案は、綴じ針抜取り爪片をスペーサに備えさせたものであり、前記請求項１の考案と同様の効果を発揮する。
【００２１】
［請求項３の考案］
綴じ針抜取り爪片の近傍に配設した永久磁石は、抜き取った綴じ針を落下させることなく吸着保持する。従って、垂直の壁面に打ち込まれている綴じ針を抜き取る際にも、抜き取られた綴じ針が落下し、床面等に散乱するという問題は生じない。
【００２２】
永久磁石に吸着保持された綴じ針を除去する際には、該永久磁石を綴じ針抜取り爪片の近傍から移動させることができる。
【００２３】
［請求項４の考案］
永久磁石は紐体を介してステープラーに取り付けられているため、該永久磁石を紛失するおそれはない。
【００２４】
［請求項５の考案］
保持体の突出縁部をフレームの角部に係止させることにより、永久磁石の位置のずれを防止することができる。図１５、図１６参照。
【考案を実施するための最良の形態】
【００２５】
まず、本考案のステープラーが上記従来のステープラーと共通する点について説明する。
【００２６】
本考案のステープラーは、上記従来のステープラーと同様に、ベース１１と、綴じ針１を収納するフレーム１３と、フレーム１３内の綴じ針１を押える押え板１５と、綴じ針１を打ち出す押刃１７を備えたハンドル１９とを一端部２１にて回動自在に軸２３を介して軸着し、該ベース１１には綴じ針１をクリンチするアンビル２５を備えさせ、該フレーム１３内にはガイド軸２７を前後方向に配設し、該ガイド軸２７にはスライダ２９を摺動自在に支持させ、該スライダ２９をバネ３１により常時前方に付勢してなるものである。
【００２７】
押刃１７は、ハンドル１９に固定されたバネ体１８の先端に形成され、該バネ体１８の他端２０は押え板１５を常時フレーム１３方向に付勢している。
【００２８】
ハンドル１９の押刃１７には中央孔４３が形成され、該中央孔４３には押え板１５の突端４５が遊嵌されている。
【００２９】
スライダ２９は、フレーム１３内の綴じ針１を常時前方に押す。
【００３０】
符号３３に示すものは、ハンドル１９をフレーム１３から離れる方向に回動させたときにバネ３１の力に抗してスライダ２９を後方に引く引き杆である。
【００３１】
符号３５に示すものはベース１１に一端を固定したバネであり、符号３７に示すものは被止着物３に打ち込まれた綴じ針１を除去するための綴じ針抜取り爪片（リムーバー）である。
【００３２】
以下、本考案のステープラーが上記従来のステープラーと相違する点について説明する。
【００３３】
前記フレーム１３におけるベース１１に臨む面１３ａに綴じ針抜取り爪片４７を備えさせる。
【００３４】
図示の事例においては綴じ針抜取り爪片４７は後向きに配設されているが、綴じ針抜取り爪片４７は前向きに配設しても差し支えない。
【００３５】
図１、図１７に示す事例においては、綴じ針抜取り爪片４７はフレーム１３と一体的に形成されている。
【００３６】
図２に示す事例においては、綴じ針抜取り爪片４７はフレーム１３とは別体の爪片部材４９に備えさせ、該爪片部材４９をフレーム１３に取り付けている。
【００３７】
図３〜図９に示す事例においては、フレーム１３におけるベース１１に臨む面１３ａに前後方向に位置調節自在に取り付けたスペーサ５１に綴じ針抜取り爪片４７を備えさせている。なお、スペーサ５１は、綴じ針抜取り爪片４７により綴じ針１を抜き取る際に、フレーム１３から脱落しないようにフレーム１３に取り付けられる。例えば、フレーム１３に突条（図示せず。）を形成し、スペーサ５１には該突条に対応する溝（図示せず。）を形成し、フレーム１３の突条をスペーサ５１の溝に摺嵌する。
【００３８】
ここでスペーサ５１について説明する。
【００３９】
従来のステープラーにおいては、被止着物を相互に止着し又は被止着物を壁面等に止着する際に、図１１、図１３に示すように、中央部１ａの両端を直角に折曲して一対の脚部１ｂ、１ｂを形成してなるコ字状の綴じ針１における該中央部１ａは、被止着物３の表面に密着し又は被止着物３の表面に食い込む。なお、符号５に示すものは壁（プラスターボード等の下地）、符号７に示すものは該壁５上に固着されたクロス等の表面材である。
【００４０】
もとより、コ字状の綴じ針１における中央部１ａが被止着物３の表面に密着し又は被止着物３の表面に食い込むことは、被止着物３を確実に止着するという意味では好ましいのであるが、次のような問題を生じさせる。
【００４１】
（イ）コ字状の綴じ針１における中央部１ａが被止着物３の表面に密着し又は被止着物３の表面に食い込んだときには、綴じ針１を抜き取る作業が面倒であり、綴じ針１を抜き取る際に被止着物３又は壁の表面材７に傷が付くおそれがある。換言すれば、上記従来のステープラーは、被止着物３の仮止めには適さないということになる。
【００４２】
（ロ）コ字状の綴じ針１における中央部１ａが被止着物３の表面のみならず、壁の表面材７に食い込むおそれがある。綴じ針１の中央部１ａが被止着物３の表面又は壁の表面材７に食い込んだときには、該被止着物３又は表面材７に綴じ針１の跡が残る。
【００４３】
（ハ）特に、被止着物３又は表面材７が柔らかな場合、綴じ針１の中央部１ａが該被止着物３又は表面材７に食い込み、該被止着物３又は表面材７に綴じ針１の跡が形成され易い。
【００４４】
（ニ）コ字状の綴じ針１における中央部１ａが被止着物３の表面に密着し又は被止着物３の表面に食い込んだときには、被止着物３に綴じ針１の大きな穴が形成されるおそれがある。
【００４５】
このような問題は、フレーム１３におけるベース１１に臨む面１３ａにスペーサ５１を前後方向に位置調節自在に取り付けることにより解決される。
【００４６】
スペーサ５１を前方に動かした場合、被止着物３を止着する際にハンドル１９をフレーム１３方向に押圧したときには、フレーム１の底面は該スペーサ５１を介して被止着物３に当接する。即ち、フレーム１３におけるベース１１に臨む面１３ａと被止着物３との間にスペーサ５１が介在する。従って、綴じ針１が被止着物３に打ち込まれる深さが浅くなる。図７、図９参照。その結果、図１０、図１２に示すように、コ字状の綴じ針１における中央部１ａと被止着物３の表面との間に隙間１ｃが生ずる。換言すれば、綴じ針１の中央部１ａは被止着物３の表面から浮いた状態となる。
【００４７】
従って、綴じ針１は容易に抜き取ることができ、綴じ針１を抜き取る際に被止着物３又は壁５の表面材７に傷が付くおそれはない。即ち、ステープラーを被止着物３の仮止め用に好ましく使用することができる。
【００４８】
コ字状の綴じ針１における中央部１ａが被止着物３の表面又は壁５の表面材７に食い込むことがないため、該被止着物３又は表面材７に綴じ針１の跡が残るおそれはない。
【００４９】
特に、被止着物３又は表面材７が柔らかな場合であっても、該被止着物３又は表面材７に綴じ針１の跡が形成されることはない。
【００５０】
綴じ針１の中央部１ａが被止着物３の表面に密着し又は被止着物３の表面に食い込むことがないため、被止着物３に綴じ針１の大きな穴が形成されるおそれはない。
【００５１】
一方、スペーサ５１を後方に動かしたときには、ステープラーは従来のステープラーと同様に使用することができる。図６、図８参照。
【００５２】
前記綴じ針抜取り爪片４７の近傍には、好ましくは、永久磁石５３を着脱自在に配設する。
【００５３】
永久磁石５３は、好ましくは、紐体５５を介してステープラーに取り付ける。
【００５４】
永久磁石５３は、一例として、該永久磁石５３の上面５３ａよりも上方に突出した縁部５７ａを備えた保持体５７に保持させる。図１４〜図１６参照。
【００５５】
なお、綴じ針抜取り爪片４７に紐体６１を係止し（図１８）、あるいは、綴じ針抜取り爪片４７に形成した透孔６３に紐体６１を取り付ける（図１９）ことにより、ステープラーを作業者の首、手首等に吊り下げることも可能である。
【００５６】
また、綴じ針抜取り爪片４７を壁５の表面材７に打ち込んだ綴じ針１に係止することにより、ステープラーを壁５に吊り下げることもできる。
【図面の簡単な説明】
【００５７】
【図１】本考案によるステープラーの一例を示す断面図である。
【図２】本考案によるステープラーの別の一例を示す断面図である。
【図３】本考案によるステープラーの更に別の一例を示す斜視図である。
【図４】同上ステープラーにおけるフレームとスペーサと綴じ針抜取り爪片とを示す側面図である。
【図５】図３のステープラーを示す断面図である。
【図６】図３のステープラーの使用状態の一例を示す断面図である。
【図７】図３のステープラーの使用状態の別の一例を示す断面図である。
【図８】図３のステープラーの使用状態の更に別の一例を示す断面図である。
【図９】図３のステープラーの使用状態の更に別の一例を示す断面図である。
【図１０】コ字状の綴じ針における中央部と被止着物の表面との間に隙間が生じた状態を示す断面図である。
【図１１】コ字状の綴じ針における中央部が被止着物の表面に密着し又は被止着物の表面に食い込んだ状態を示す断面図である。
【図１２】コ字状の綴じ針における中央部と被止着物の表面との間に隙間が生じた状態を示す別の断面図である。
【図１３】コ字状の綴じ針における中央部が被止着物の表面に密着し又は被止着物の表面に食い込んだ状態を示す別の断面図である。
【図１４】保持体に保持させた永久磁石を示す斜視図である。
【図１５】本考案によるステープラーの更に別の一例を示す側面図である。
【図１６】フレームと保持体に保持させた永久磁石とを概略的に示す正面図である。
【図１７】図１のステープラーの使用状態の一例を示す断面図である。
【図１８】ステープラーを吊り下げた状態の一例を示す側面図である。
【図１９】ステープラーを吊り下げた状態の別の一例を示す側面図である。
【符号の説明】
【００５８】
１  綴じ針
１ａ  中央部
１ｂ  脚部
１ｃ  隙間
３  被止着物
５  下地
７  表面材
１１  ベース
１３  フレーム
１３ａ  ベースに臨む面
１５  押え板
１７  押刃
１８  バネ体
１９  ハンドル
２０  他端
２１  一端部
２３  軸
２５  アンビル
２７  ガイド軸
２９  スライダ
３１  バネ
３３  引き杆
３５  バネ
３７  リムーバー
４３  中央孔
４５  突端
４７  綴じ針抜取り爪片
４９  爪片部材
５１  スペーサ
５３  永久磁石
５３ａ  上面
５５  紐体
５７  保持体
５７ａ  縁部
６１  紐体
６３  透孔
【図１】
0003127988.tif 000003
【図２】
0003127988.tif 000004
【図３】
0003127988.tif 000005
【図４】
0003127988.tif 000006
【図５】
0003127988.tif 000007
【図６】
0003127988.tif 000008
【図７】
0003127988.tif 000009
【図８】
0003127988.tif 000010
【図９】
0003127988.tif 000011
【図１０】
0003127988.tif 000012
【図１１】
0003127988.tif 000013
【図１２】
0003127988.tif 000014
【図１３】
0003127988.tif 000015
【図１４】
0003127988.tif 000016
【図１５】
0003127988.tif 000017
【図１６】
0003127988.tif 000018
【図１７】
0003127988.tif 000019
【図１８】
0003127988.tif 000020
【図１９】
0003127988.tif 000021